(57)【要約】【課題】低コストでかつ栽培対象物を良好に育成することができる育苗装置を提供する。【解決手段】ミスト発生器１０１の複数の出口１０１ａには、それぞれ供給部材１０２の一端が覆い被さって接続されている。各供給部材１０２は、ミスト発生器１０１により発生されたミストの流通路と、椎茸等の栽培対象物が存在する外空間および流通路を連通する複数の開口１０３とを有する。このような構成において、ミスト発生器１０１により発生されたミストは、供給部材１０２の流通路を通過する際に、当該ミストに含まれる大粒径の粒が流通路に付着し、小粒径の粒がミストＭＩとして開口１０３から外空間に噴出される。【選択図】図１
2011155905.tif 000002
【特許請求の範囲】
【請求項１】
栽培対象物を育成する育苗装置であって、
ミストを発生するミスト発生器と、
前記ミスト発生器の出口に接続された接続部材と、を含み、
前記接続部材は、前記ミストの流通路と、前記栽培対象物が存在する外空間および前記流通路を連通する少なくとも１の開口とを有する、育苗装置。
【請求項２】
前記接続部材は、少なくとも１の管により構成される、請求項１記載の育苗装置。
【請求項３】
前記接続部材の開口は、前記栽培対象物に近接した位置に配される、請求項１または請求項２記載の育苗装置。
【請求項４】
前記接続部材は、水を排出する排出孔を有し、
前記排出孔は、前記接続部材において前記開口が設けられている位置よりも下方側に設けられる、請求項１から請求項３のいずれか１項に記載の育苗装置。
【請求項５】
前記接続部材は、傾斜するように設けられ、前記排出孔は、傾斜する当該接続部材の最下点に設けられる、請求項４記載の育苗装置。
【請求項６】
前記ミスト発生器に空気圧で水を供給する圧力部をさらに含む、請求項１から請求項５のいずれか１項に記載の育苗装置。
【請求項７】
前記栽培対象物は、椎茸である、請求項１から請求項６のいずれか１項に記載の育苗装置。
【発明の詳細な説明】
【技術分野】
【０００１】
本発明は、椎茸等の栽培対象物を栽培するための育苗装置に関する。
【背景技術】
【０００２】
従来、栽培用素材（栽培用原木）に椎茸のような栽培対象物を発生させて育成させる育苗装置が研究開発されている。
【０００３】
例えば、特許文献１には、椎茸栽培用素材へ水分を付着させるための方法およびその装置が提案されている。この装置は、主として、水貯蔵手段としての水槽と、その水槽の上部に備えられる霧発生タンクと、その霧発生タンクの上部に備えられる第一噴霧ノズルおよび第二噴霧ノズルとを備える。
【０００４】
上記装置においては、第一噴霧ノズルにより例えば１〜２ミクロンの水粒子を含む霧がハウス内へ噴射され、これとともに第二噴霧ノズルにより１６〜３０ミクロンの水粒子を含む霧がハウス内へ噴射される。
【０００５】
このような構成を採用することによって、空気中に漂う働きをする霧（１〜２ミクロンの水粒子を含む霧）と、椎茸栽培用素材に水分として付着する霧（１６〜３０ミクロンの水粒子を含む霧）とをハウス内に噴出して混合させることができる。それにより、椎茸栽培用素材に水分として付着する霧がハウス内を漂って、椎茸栽培用素材の全域に水分が均等に付着する。
【先行技術文献】
【特許文献】
【０００６】
【特許文献１】特開平８−１０３１６１号公報
【発明の概要】
【発明が解決しようとする課題】
【０００７】
通常、椎茸栽培を行うには、室内の湿度は高湿度（１００％）であることが望ましい。しかしながら、上記従来の装置によって噴出される霧には、大粒径の粒および小粒径の粒が含まれる。大粒径の粒は、互いに空気中でぶつかり合って水滴となってしまうので、室内を高湿度にすることが困難である。したがって、小粒径の粒からなるミストを室内全体に充満させることによって、椎茸等の栽培対象物の栽培に適した湿度（１００％またはこれに近いもの）を実現することが必要不可欠である。また、上記のように、大粒径の粒で形成された水滴で床がぬかるんでしまうという問題もある。
【０００８】
以上のことから、上記従来の装置では、椎茸等の栽培対象物に対して余計な水分摂取を促してしまうとともに、当該栽培対象物が良好に育成されない場合が多い。
【０００９】
そこで、本発明の目的は、低コストでかつ栽培対象物を良好に育成することができる育苗装置を提供することである。
【課題を解決するための手段】
【００１０】
（１）本発明に係る育苗装置は、栽培対象物を育成する育苗装置であって、ミストを発生するミスト発生器と、ミスト発生器の出口に接続された接続部材と、を含み、接続部材は、ミストの流通路と、栽培対象物が存在する外空間および流通路を連通する少なくとも１の開口とを有するものである。
【００１１】
本発明に係る育苗装置においては、ミスト発生器によりミストが発生される。また、少なくとも１の開口を有する接続部材がミスト発生器の出口に接続される。当該開口により外空間および上記接続部材内のミストの流通路が連通される。
【００１２】
この場合、ミスト発生器により発生されるミストは、当該ミスト発生器の出口から上記接続部材の流通路に入る。流通路を通過する際に、ミストに含まれる大粒径の粒が当該流通路内に付着し、小粒径の粒がミストとして開口から噴出される。
【００１３】
したがって、上記接続部材の下方に栽培対象物を配設する場合には、当該栽培対象物の全域に対して均一かつ適量の小粒径の粒からなるミストを供給することができる。したがって、栽培対象物の生長を良好に促進することができる。また、小粒径の粒からなるミストを簡単な構成で栽培対象物に供給できるので、従来に比べ低コストである。
【００１４】
（２）接続部材は、少なくとも１の管により構成されてもよい。この場合、接続部材内の流通路に対して相当の距離を持たせることができるので、ミスト発生器により発生されたミストに含まれる大粒径の水分のほとんどまたは全部を流通路内に付着させることができる。これにより、小粒径の粒からなるミストを栽培対象物に確実に供給できる。
【００１５】
（３）接続部材の開口は、室内が乾燥し易い時期においては栽培対象物に近接した位置に配されることが特に好ましい。この場合、小粒径の粒からなるミストを栽培対象物に直接的に供給することができるとともに、乾燥時期でも栽培対象物に上記ミストを良好に供給できる。
【００１６】
（４）接続部材は、水を排出する排出孔を有し、当該排出孔は、接続部材において開口が設けられている位置よりも下方側に設けられることが好ましい。
【００１７】
この場合、排出孔を設けることにより、流通路内の水分（大粒径の粒を含む）が当該流通路内に溜まることを防止できるとともに、一定量の小粒径の粒からなるミストを供給することができる。また、排出孔が、開口が設けられている位置よりも下方側に設けられることにより、ミスト以外の水分だけを排出することができる。
【００１８】
（５）接続部材は、傾斜するように設けられ、排出孔は、傾斜する当該接続部材の最下点に設けられることが好ましい。この場合、接続部材の流通路内の水が開口から外空間に出ることを防止できるとともに、流通路内のミスト以外の余分な全ての水を排出孔から排出することができる。
【００１９】
（６）育苗装置は、ミスト発生器に空気圧で水を供給する圧力部をさらに含んでもよい。この場合、低コストでミスト発生器に水を供給できる。
【００２０】
（７）栽培対象物は、椎茸であってもよい。この場合、椎茸を発生する栽培用原木（ほだ木）の全域に対して均一かつ適量の小粒径の粒からなるミストを供給することができる。したがって、椎茸の生長を良好に促進することができる。
【発明の効果】
【００２１】
本発明に係る育苗装置によれば、流通路を通過する際に、ミストに含まれる大粒径の粒が当該流通路内に付着し、小粒径の粒がミストとして開口から噴出される。したがって、上記接続部材の下方に栽培対象物を配設する場合には、当該栽培対象物の全域に対して均一かつ適量の小粒径の粒からなるミストを供給することができる。したがって、栽培対象物の生長を良好に促進することができる。
【図面の簡単な説明】
【００２２】
【図１】本実施形態に係る育苗装置の概略的構成を示す模式図である。
【図２】供給部材における各開口の位置を示す模式的断面図である。
【図３】他例に係る供給部材を示す模式的斜視図である。
【図４】供給部材の流通路に設けられる複数の突起部材を示す模式的断面図である。
【図５】他例に係る供給部材を示す模式図である。
【図６】供給部材における他例に係る各開口の位置を示す模式的断面図である。
【発明を実施するための形態】
【００２３】
以下、本発明の一実施形態に係る育苗装置について図面を参照しながら説明する。
【００２４】
図１は本実施形態に係る育苗装置１００の概略的構成を示す模式図である。
【００２５】
図１に示すように、本実施形態に係る育苗装置１００は、ミスト発生器１０１および管からなる供給部材１０２を主に備える。
【００２６】
ミスト発生器１０１には、室内に略垂直方向に沿って設けられた圧縮空気管２００の一端が接続されている。圧縮空気管２００の他端は、エアコンプレッサ２０２に接続されている。また、ミスト発生器１０１には、圧縮空気管２００に並列して給水管２０１が接続されている。
【００２７】
圧縮空気管２００は、エアコンプレッサ２０２により生成された圧縮空気をミスト発生器１０１に供給する。給水管２０１は、給水源（図示せず）からの水をミスト発生器１０１に供給する。
【００２８】
ミスト発生器１０１では、複数の出口（ノズル）１０１ａから圧縮空気が噴出されると、当該出口１０１ａに負圧が生じ、水が吸引されてミストとなって複数の出口１０１ａから噴出される構成となっている。このミストには、比較的大粒径の粒および比較的小粒径の粒が含まれる。
【００２９】
ミスト発生器１０１の複数の出口１０１ａには、それぞれ供給部材１０２の一端が覆い被さって接続されている。当該複数の出口１０１ａは、例えば、四方に水平面に向かって設けられる。
【００３０】
各供給部材１０２は、ミスト発生器１０１により発生されたミストの流通路１０２ａ（後述の図２）と、例えば椎茸等の栽培対象物が存在する外空間および流通路１０２ａを連通する少なくとも１つの開口１０３とを有する。
【００３１】
このような構成において、ミスト発生器１０１により発生されたミストは、供給部材１０２の流通路１０２ａを通過する際に、当該ミストに含まれる大粒径の粒が流通路１０２ａに付着し、小粒径の粒がミストとして開口１０３から外空間に噴出される。なお、図１においては、各開口１０３から外空間に噴出されたミストをＭＩとして図示し識別している。以下の説明においても同様とする。
【００３２】
各供給部材１０２の各開口１０３は、椎茸等の栽培対象物を発生する栽培用原木（一般に、ほだ木と呼ばれる）を収納した収納ケースＷに近接した位置に配される。
【００３３】
ここで、図１において、各供給部材１０２は、ミスト発生器１０１側の一端が最下点となるように傾斜して設けられている。それにより、各供給部材１０２の上記一端とミスト発生器１０１との間に隙間ができる。当該隙間が、供給部材１０２の流通路１０２ａの水を排出する排出孔１０４となる。
【００３４】
ミスト発生器１０１の下方には、排出孔１０４から排出された水を集める集水部１０７が設けられている。そして、この集水部１０７の排出孔１０７ａには、紐１０８が取り付けられている。集水部１０７内の水は、排出孔１０７ａを介して紐１０８を伝って床の排出溝（図示せず）に落ちる。これにより、排出孔１０７ａから排出された水の床からの跳ね返りを防止できる。したがって、排出孔１０７ａからの水が収納ケースＷにかかることはない。
【００３５】
各供給部材１０２の他端には開口部１０５が設けられている。開口部１０５からも水が排出されるが、上記と同様に、当該開口部１０５にも紐１０８が取り付けられているので、当該水は紐１０８を伝って床の排出溝（図示せず）に落ちる。これにより、排出された水が収納ケースＷにかかることはない。
【００３６】
図２は供給部材１０２における各開口１０３の位置を示す模式的断面図である。図２に示すように、供給部材１０２の断面において、２つの開口１０３が互いに対称的に下方向きに設けられる。本実施形態では、各開口１０３は断面円形状であり、その直径は、小粒径の粒からなるミストＭＩを良好に噴出する点で、例えば６ｍｍ〜１０ｍｍであることが好ましく、７ｍｍ〜８ｍｍであることがより好ましい。また、このように各開口１０３の直径を一律または個別に変えてもよいし、当該開口１０３の形状を断面角型形状等の他の形状にしてもよい。
【００３７】
＜本実施形態における効果＞
本実施形態に係る育苗装置１００では、ミスト発生器１０１により発生されるミストは、当該ミスト発生器１０１の出口１０１ａから供給部材１０２の流通路１０２ａに入る。そして、流通路１０２ａを通過する際に、ミストに含まれる大粒径の粒が当該流通路１０２ａに付着し、小粒径の粒がミストＭＩとして開口１０３から噴出される。したがって、収納ケースＷに収納された栽培用原木の全域に対して均一かつ適量の小粒径の粒からなるミストＭＩを供給することができる。また、小粒径の粒からなるミストＭＩを室内全体に充満させることができるので、椎茸等の栽培対象物の栽培に適した湿度（１００％またはこれに近いもの）を実現することができる。したがって、栽培対象物の生長を良好に促進することができる。また、小粒径の粒からなるミストＭＩを簡単な構成で栽培用原木に供給できるので、従来に比べ低コストである。
【００３８】
また、本実施形態では、供給部材１０２を管により構成することによって、流通路１０２ａに対して相当の距離を持たせることができる。これにより、ミスト発生器１０１により発生されたミストに含まれる大粒径の粒のほとんどまたは全部を流通路１０２ａ（供給部材１０２の内壁）に付着させることができる。これにより、小粒径の粒からなるミストＭＩを栽培用原木に確実に供給することができる。なお、供給部材１０２の長さ、すなわち、流通路１０２ａの長さを変えることにより、開口１０３から噴出されるミストＭＩに含まれる粒の大きさを変えることもできる。
【００３９】
また、本実施形態では、供給部材１０２の開口１０３を栽培用原木に近接した位置に配設することによって、小粒径の粒からなるミストＭＩを当該栽用原木に直接的に供給することができるとともに、乾燥時期でも栽培用原木にミストＭＩを良好に供給できる。
【００４０】
また、本実施形態では、排出孔１０４を設けることにより、流通路１０２ａの水分（大粒径の粒を含む）が当該流通路１０２ａに溜まることを防止できるとともに、小粒径の粒からなるミストＭＩをコンスタントに供給することができる。また、排出孔１０４が、開口１０３が設けられている位置よりも下方側に設けられることによって、ミストＭＩ以外の水分だけを確実に排出することができる。
【００４１】
さらに、本実施形態では、供給部材１０２を傾斜するように設け、排出孔１０４を傾斜する当該供給部材１０２の最下点に設けることによって、流通路１０２ａの水分が開口１０３から外空間に出ることを防止できるとともに、流通路１０２ａのミストＭＩ以外の余分な全ての水分を排出孔１０４から排出することができる。
【００４２】
＜請求項の各構成要素と本実施形態の各部との対応関係＞
なお、上記実施形態においては、育苗装置１００が育苗装置に相当し、ミスト発生器１０１がミスト発生器に相当し、ミスト発生器１０１の出口１０１ａがミスト発生器の出口に相当し、供給部材１０２、１０２ｃが接続部材に相当し、ミストＭＩがミストに相当し、流通路１０２ａが流通路に相当し、開口１０３が開口に相当し、排出孔１０４、１０４ｂが排出孔に相当する。
【００４３】
＜変形例＞
なお、上記実施形態では、供給部材１０２の形状を管状としたが、これに限定されるものではなく、図３に示すように、他例に係る供給部材３００として平板を用いてもよい。この場合、供給部材３００の裏面側に複数の開口３０１がそれぞれ規則的に設けられる。また、供給部材３００には、当該供給部材３００の開口３０１に連通する内部空間（図示せず）の水を排出する複数のドレイン３０２が設けられる。
【００４４】
また、図４に示すように、供給部材１０２の流通路１０２ａに複数の突起部材１０２ｂをそれぞれ対称的に設けてもよい。この場合、ミスト発生器１０１により発生されるミストに含まれる大粒径の粒が突起部材１０２ｂに付着し易くなる。それにより、大粒径の粒からなるミストが開口１０３から噴出されることを防止でき、小粒径の粒からなるミストＭＩを栽培対象物に供給することができる。または、供給部材１０２の内壁を凹凸状に加工しても同様の効果を得ることができる。
【００４５】
また、供給部材１０２の途中部分を支持部材（図示せず）により支持することによって、当該供給部材１０２に相当長さを持たせてもよい。この場合、供給部材１０２が長くなることによって、ミスト発生器１０１により発生されるミストに含まれる大粒径の粒の多くを流通路１０２ａに付着させることができる。したがって、小粒径の粒からなるミストＭＩを供給できる信頼性をより向上することができる。
【００４６】
また、供給部材１０２を以下のように変形してもよい。以下のように構成した場合でも、図１の育苗装置１００と同様の効果を得ることができる。
【００４７】
図５に示すように、供給部材１０２ｃには、ミスト発生器１０１の近傍において、開口１０３が配設されない非配設部分１０２ｚ（本実施形態ではＬ字型）が設けられている。また、供給部材１０２の一端とミスト発生器１０１との間には、隙間からなる排出孔１０４ａが形成される。
【００４８】
供給部材１０２ｃにおいて各開口１０３が設けられた部分は、当該供給部材１０２ｃの他端に設けられた開口部１０５が最頂点となるように、傾斜して設けられる。そして、傾斜する供給部材１０２ｃの最下点に排出孔１０４ｂが設けられる。なお、集水部１０７および紐１０８の機能および効果は、上述した通りである。
【００４９】
本例では、ミスト発生器１０１の近傍において、開口１０３が配設されない非配設部分１０２ｚを供給部材１０２ｃに設けることによって、ミスト発生器１０１により発生されたミストに含まれる大粒径の粒の多くを、開口１０３から噴出される前に流通路１０２ａに付着させることができる。それにより、開口１０３から小粒径の粒からなるミストＭＩだけを栽培用原木の全域に均一に供給することができる。
【００５０】
また、室内の湿度を計測する計測器を設けてもよい。例えば椎茸を良好に育成する場合には、湿度が１００％であることが好ましいので、室内の湿度がこれに満たないときには、上記計測器の計測結果に基づいてエアコンプレッサ２０２の動作制御を行う等のフィードバック制御を実施してもよい。
【００５１】
また、上記実施形態では、大粒径の粒および小粒径の粒を含むミストを発生するミスト発生器１０１を用いたが、当該ミスト発生器１０１の代わりに、またはこれに併せて、例えば超音波発生装置等の他のミスト発生装置を用いてミストを発生させてもよい。
【００５２】
また、上記実施形態では、育苗装置１００によって栽培対象物として椎茸を育成することとしたが、例えば果菜類などについても良好に育成することができる。
【００５３】
また、上記実施形態では、供給部材１０２の断面において２つの開口１０３を互いに対称的に下方向きに設けることとしたが、これに限定されるものではなく、これらを非対称に設けてもよいし、例えば、図６に示すように、供給部材１０２の断面において２つの開口１０３ａを互いに上方向きに設けてもよい。
【００５４】
さらに、本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００５５】
１００    育苗装置
１０１    ミスト発生器
１０１ａ    ミスト発生器の出口
１０２、１０２ｃ    供給部材
１０２ａ    流通路
１０３、１０３ａ    開口
１０４、１０４ｂ    排出孔
ＭＩ    ミスト
Ｗ    収納ケース
【図１】
2011155905.tif 000003
【図２】
2011155905.tif 000004
【図３】
2011155905.tif 000005
【図４】
2011155905.tif 000006
【図５】
2011155905.tif 000007
【図６】
2011155905.tif 000008